(57)【要約】球面、そして、非球面の反射面の曲率半径を正確に測定するために使用する光リングターゲットミーア（８）。ターゲットミーアは、患者のための固視ターゲット、細隙灯（７）による観察を可能にする穴、ヘッダから成る照明システムにより照らされる穴（４）を有する。ヘッダは照明システムからの出口レンズ、集光フィラメント、中間円及びターゲットミーアのための有用な領域を持つ光止めを有する。代替的に、正確な周線形に構成された、アークから形成されたリング、または通しリングによって投射され、異なるタイプの照明システムと共に使用することを可能にし、目の試験に制限されることなく、どんな反射面の測定を可能にする。
2007533980.tif 000002
【特許請求の範囲】
【請求項１】
球面状及び非球面状の反射面の曲率半径を正確に測定するための光投射ターゲットミーアであって、どんな形の反射面の曲率半径を正確に測定するために使用される光リングターゲットによって特徴付けられ、
前記ターゲットは、光を投射するための７２個、又はそれ以上又は以下、の数の穴と、前記ターゲットを取り付けることができる細隙灯他の接眼顕微鏡又はいかなる他の装置の接眼レンズを介して観察することを可能にする２つのさらなる穴を有し、電灯他のタイプの照明によって、特に、細隙灯のために、外部から照らされ、該細隙灯は、電球、前記照明システムからの出口レンズ、集光フィラメント、中間円、および前記ターゲットミーアのための有用な領域を持つ光止めを有するヘッダによって構成され、
代替的に、複数のアークからなるリング又は通しリングとして正確な周線形に構成されたリングを用いて投射されて、異なるタイプの照明システムと共に使用することができ、目の試験に制限されることなく、どんな反射面の測定も可能にする光投射ターゲットミーア。
【請求項２】
請求項１に記載の光投射ターゲットミーアであって、反射のために正確な所定の角度に集光された光線によって前記穴を照らし、前記穴を等質的に照らして、前記反射面に均質の照明と正確な寸法で前記円形ターゲットミーアを映し出す方法で特徴付けられる光投射ターゲットミーア。
【請求項３】
請求項１に記載の光投射ターゲットミーアであって、円形に置かれ穴（又は通しアーク若しくはリング）であって、前記反射面である角膜の前記曲率半径を測定を可能にするための照らされた光スポット（又は連続リング、若しくはアーク）によって構成される多数の光リングターゲットの投射ミーアを作り出す穴によって特徴付けられる光投射ターゲットミーア。
【請求項４】
請求項１に記載の光投射ターゲットミーアであって、最大光量を反射するために光の均質な反射を与えるように設計され正確に決定された角度を有する２つの円錐面によって特徴付けられ、前記ターゲットの望ましく照らされた直径を与え、前記細隙灯の前記照明システムからの光の集束、従って、その角度精密測定を与え、該角度精密測定は光を前記所望の方向に反射させることに関係し、また、前記ターゲットミーアの均質の総照明を得るため前記光を円周方向にそらせるように前記別の集束投射された光源内での作動が可能なとされた光投射ターゲットミーア。
【請求項５】
請求項１乃至５のいずれか１つに記載の光投射ターゲットミーアであって、前記中間円から来る光線を考えた幾何学的計算によって特徴付けられ、前記光線は、面２と３上の有用な部分から来る光をそれぞれ反射させて（反射法則により反射角は入射角と同じ）、反射法則により、前記面２において反射角αで、前記面３において反射角βで面４に到達させるために前記反射面の中央部に達し、同じ入射角で反射され、入射点２と３の間の距離「ｄ」とイメージサイズ２ｈを画定し、角度α、β、σは（１）乃至（６）式によって得られる光投射ターゲットミーア。
【数１】
2007533980.tif 000005
【数２】
2007533980.tif 000006
【発明の詳細な説明】
【発明の分野】
【０００１】
本発明は、いかなる形状の光反射面の曲率半径の精密測定に使用されるように特別に開発設計され、光投射のための７２の穴を有する発光リングターゲット（装置）である。
【発明の詳細な説明】
【０００２】
ターゲットは代替的にいかなる数の穴を有することができる。また、細隙灯の接眼レンズを介して観察するためのさらなる２つの穴と、ターゲットが結合される接眼顕微鏡他の装置がある。ターゲットはまた代替的に、光投射のための正確な周線形に構成される連続リングや、複数のアークからなるリングを備えるように造られる。ターゲットは、細隙灯の電球によって提供される外部照明を使用し、またどんな種類の外部照明でも使用できる。
【０００３】
同様に、いくつかの追加穴（または、アーク形か、連続リング形）を装置に沿って設けるならば、それにより、どんな光反射面、特に角膜の地形測定が可能になる。
【０００４】
最大光量を反射するために、均質な光の反射を与えるように正確に測定された角度を有する２つの円すい面が設計されており、必要に照らされたターゲット径を与え、細隙灯の照明システムからの光の集光を考慮し、従って、光を所望の方向に反射させることに関係する光の角度の精密測定を考慮している。
【０００５】
発明は、細隙灯の照明システム及び／又はいかなる顕微鏡ランプ若しくは円錐形の研磨面及び／又はミラー面における光二重反射のシステム内で集光する光源を使用して作動するように構成されており、ターゲットミーアの均質の完全な照明を提供する。
【０００６】
したがって、発明の目的は、細隙灯からの光で図１に示されるピンホールを照らすこと（照らされるべき穴の数は０６以上）である。ピンホールに代えて、図２に示すように、複数のアーク又は１つのリング状のターゲットを正確な周線形のターゲットとして使用することができる。
【０００７】
細隙灯の照明システムの電灯フィラメントは自身の照明装置からの出口瞳孔の中で集光される（図３参照）。
【０００８】
ミーアターゲットを製造するための計算は最も外側の円として選択された領域を考慮に入れる。その領域は図３ａに示され「有用な領域スポット」（４）と呼ばれる。図３ｂに示す光止め（ストップ）を使用することで、より良い均質な照明を得ることができる。
【０００９】
システムから発する光線の焦点距離「Ｆ」（図５参照）が知られていて、映し出されたフィラメントのスポットが選択され、このスポットから焦点までの想像光線を描くことが可能である。
【００１０】
計算法の最適化の理由により、このスポットは図３に示される「中間円領域」（５）から取られる。したがって、この光線と、焦点スポットを通る照明システムに垂直な軸とが成す焦点角を得ることが簡単になる。そのため、この光線を前記反射面によって、意図する位置へそらすことが可能になる。
【００１１】
図４において番号１で示す面は光学系の焦点長の中心軸上に位置する。この面の中心に光の通過のための穴があり、それは患者の固視点の基準になる。面２は、照明システムから別の反射面３に行く光を反射させる円錐の鏡面である。
【００１２】
面３は、面４に位置するピンホールを照らすために光をそらす円錐部の内面であり、細隙灯の光の元の焦点に向けられた複数の小さな光スポット源になる。
【００１３】
この問題に関連するものは患者の角膜の照明ではなく、ターゲットミーアのピンホール（４）の均質の照明である。なぜならば、関連するものは、角膜の涙面又は試験下のいかなる反射面による照らされたターゲットの反射であるからである。この意味で、光スポットの集光は、試験の間に正確な焦点距離及びその結果最も効果的なセンター位置決めを提供するためにシステムの最適化に必要である。
【００１４】
ターゲットミーア製造の詳細は図４、６、７と８で提示される。
【００１５】
図４は細隙灯に置いたターゲットミーアを示す。実線と破線は面２に到達する光線を表す。
【００１６】
ミーアターゲットが光線を妨害しないなら、光線は、破線によって示されるようにシステムの元の焦点位置に達する。
【００１７】
ターゲットミーアが光路を妨害するとき、光線は表面３の方にそらされて再び細隙灯の焦点位置に向かう。したがって、４におけるピンホールは患者の角膜に焦点を合わせられる。
【００１８】
正確な予定された角度に集光した光線によって穴を照らす方法は、該穴を均等に照らして、円形のターゲットミーアを均質の照明と正確な寸法でもって反射面（角膜）に投射するので、本質的に革新的である。
【００１９】
角膜の反射特性は球面鏡と同様である。角膜を球面鏡とみなすと、ターゲットミーアの直径を与える式を投射イメージの必要なサイズの関数として得ることができる。例えば、角膜曲率測定において、角膜上に投影されたミーアイメージのサイズは非乱視の標準的な目の場合、３ｍｍである。
【００２０】
図５の幾何学的性質から、ターゲットミーアの直径を以下の（１）式及び（２）式で表すことができる。
【式１】
【００２１】
2007533980.tif 000003
ここで、２ｈはターゲットミーアの直径、２ｙは反射面（角膜）に投影されたイメージの直径。
【００２２】
発明品の直径は特定の像寸法、及びターゲットミーアと目の間の距離に依存する。図６に示す想像線で示す円錐を観察し、設計者によって予め決定されるイメージサイズを持つならば、円錐面の穴（６）が設けられるべきところの直径が決定される。
【００２３】
ターゲットミーアの反射面を投射するために、図３の中間円（５）から来る想像光線を考慮すべきである。
【００２４】
幾何学的計算は、面２と３の有用な部分から来る光線を反射させて（反射法則により反射角は入射角と同じ）、面４に到達させるために、中間円から来て反射面の中心部に達する光線を考慮してなされる。
【００２５】
面２では、反射角はαであり、面３では、反射的角はβである。入射点２と３の間の距離「ｄ」と像寸法２ｈが定義されると、式（１）、（２）と、以下の式（３）、（４）、（５）、（６）により、角α、β、σを得る（図８参照）。
【式２】
【００２６】
2007533980.tif 000004
【００２７】
本発明装置のセットアップは、ユーザにとって難しくなく、かなり簡単である。その主な理由は、ケーブルの無い設計であり、発明品を細隙灯の照明ヘッダに容易に適合させるだけである。
【００２８】
発明に関する技術水準に関していうと、いかなる同様の装置も以前に公表されていない。したがって、２００３年５月７日の特許番号ＰＩ０３００５４８３−７と、２００３年１２月１９日のＰＣＴ／ＢＲ０３／００２００の角膜曲率測定及び／又はいかなる反射面の曲率半径を測定するために以前に開発されたターゲットミーアに取って代わるべき光ターゲットミーアから成る本発明は発明要件を満たしている。上記２つの特許文献はその投射又はデザインのいずれにおいても、トータル的に革新的な本発明に似るものではない。
【００２９】
本発明の装置の主な利点と特徴は、そのサイズがかなり小さくなり、位置がより良くなり細隙灯に簡単に適合でき、また、余分な光源からの独立したことであり、これは細隙灯他の同様な焦点の合った光を使用し、該光を反射して、上記先の特許に類似する光リングのイメージを提供するからである。
【００３０】
本発明の概略図は単に例示的なものであり、発明の詳細において、特に、そのサイズ、形、および寸法に変更を与えて（ただし、発明の原理内で）本願の特許請求の範囲の知識に基づいて拡張を行うことができる。また、本発明の有利な特徴及び技術的な作用効果により他の製品と比べて単純な原理を有しかつ必要な特性に達するすべての必要条件を有する適用要件を本発明が満たすような商業的及び製造的応用例において発明の革新的な特徴を取り入れることができる。
【図面の簡単な説明】
【００３１】
本発明を明確に視覚化するために、説明に役立つ図面を添付している。
【図１】患者（２）のための固視ターゲットと、細隙灯（３）を介して観察を可能にする穴と、照らされる孔（４）とを示す発明の実施の態様の正面図（１）と、側面図と、前方図（６）である。
【図２】正確な円形の形のアークリング又は通しリングを有して照らされるべき代替ターゲットミーアの正面図である。
【図３】照明システム（ａ）の細隙灯（１）出口レンズ（２）の照明ヘッダ、映し出されたフィラメント（３）、ターゲットミーアのための役に立つ光スポット（４）、中間円（５）光止め（６）の正面図である。
【図４】細隙灯（７）の照明システムであって、該システムの焦点に垂直に置いた面（５）、患者（６）のための固視ターゲットとしてのピンホール、前面（１０）に設けられた光のための入口瞳孔、より大きい直径を有する出口瞳孔（これは、患者の固視ターゲットとしてのスポットの必要なサイズに依存して変えられる）、反射円錐面（２）、前記ピンホールを照らす円錐面（３）の内側部分、アークから成る又は通しのリング（４）を備える投射ターゲットミーア（８）を照らす照明システムを示す図である。
【図５】曲率半径（１）計算目的のための、反射面のターゲットミーアの投射イメージと、それぞれの幾何学的角度を示す概略図である。
【図６】２つの代替のターゲットミーアを示す図であり、これらのターゲットミーアは異なった直径を有し、同じ画像寸法を反射面に投影する。なぜならば、ターゲットミーアが図６に破線によって表された想像円錐の内側部分にあるからである。長方形によって表された穴（５）（又は通しアーク若しくは円形リング）を含む円錐面を強調している。
【図７】ピンホール（５）を照らすために光をそらす反射面（４）を示す図であり、細隙灯（２）の照明ヘッダ（ａ）と共に円錐反射面（２）を詳細に示すものである。
【図８】光線の反射によるターゲットミーアにおける光路を示す図である。
【図１】
2007533980.tif 000007
【図２】
2007533980.tif 000008
【図３】
2007533980.tif 000009
【図４】
2007533980.tif 000010
【図５】
2007533980.tif 000011
【図６】
2007533980.tif 000012
【図７】
2007533980.tif 000013
【図８】
2007533980.tif 000014
【国際調査報告】
2007533980.tif 000015
2007533980.tif 000016